(57)【要約】【課題】建物外部の風景映像を乗客の要望に合わせて表示することのできるエレベーターの風景映像表示装置の提供。【解決手段】カメラ９ａ、９ｂと、これらのカメラが搭載され、乗かご１と同期し建物外壁に沿って昇降可能な昇降手段と、乗かご内に設けられ、かご高さ位置に対応させ撮像した映像情報を表示可能な表示手段４ａ、４ｂとを備えたエレベーターの風景映像表示装置において、あらかじめ昼間の晴天時に、カメラにより撮像した映像情報を記憶部１３ａに記憶するとともに、制御手段１２は、昼間の晴天時には、カメラによりかご高さ位置に対応して撮像した現在の映像情報を表示手段により表示するとともに、夜間、及び荒天時には、かご高さ位置に対応した記憶部の映像情報を表示手段に表示するようにしたものである。【選択図】図１
2011006181.tif 000002
【特許請求の範囲】
【請求項１】
カメラと、このカメラが搭載され、乗かごと同期し建物外壁に沿って昇降可能な昇降手段と、前記乗かご内に設けられ、かご高さ位置に対応させ撮像した映像情報を表示可能な表示手段とを備えたエレベーターの風景映像表示装置において、
あらかじめ昼間の晴天時に、前記カメラにより撮像した映像情報を記憶部に記憶するとともに、制御手段は、昼間の晴天時には、前記カメラによりかご高さ位置に対応して撮像した現在の映像情報を前記表示手段により表示するとともに、夜間、及び荒天時には、かご高さ位置に対応した前記記憶部の映像情報を前記表示手段に表示することを特徴としたエレベーターの風景映像表示装置。
【請求項２】
前記制御手段は、現在日時情報、当日の日の出予報時刻、及び日の入り予報時刻に基づき昼夜判断を行うとともに、前記カメラの映像情報に含まれる輝度情報、及び所定機関の報ずる天気情報の少なくとも１つに基づき天候判断を行うことを特徴とした請求項１記載のエレベーターの風景映像表示装置。
【請求項３】
前記乗かご内の異なる向きの複数の側壁にそれぞれ前記表示手段を設置し、それぞれの前記表示手段は、当該表示手段の設置方向に対応させ前記カメラにより撮像された映像情報を表示することを特徴とした請求項１記載のエレベーターの風景映像表示装置。
【請求項４】
一方の側に設置された表示手段に、あらかじめ午後に撮像した同一側の映像情報を表示するとともに、他方の側に設置された他の表示手段に、あらかじめ午前に撮像した同一側の映像情報を表示することを特徴とした請求項３記載のエレベーターの風景映像表示装置。
【発明の詳細な説明】
【技術分野】
【０００１】
本発明は、乗かご内に設けられた表示手段により建物外部の風景映像を表示するエレベーターの風景映像表示装置に関する。
【背景技術】
【０００２】
エレベーターの乗かごに乗り込み、移動中にある乗客を退屈させないために、或いは乗車時の気詰まり感や閉塞感を解消するなどの目的で、乗かご内に設けた表示手段により、かご高さ位置に対応した建物外部の風景映像を表示するエレベーターの風景映像表示装置がある。そして、従来、この種のものとして、乗かごの位置と、季節、日時、または天候の内の少なくとも１つに応じた風景映像を記憶し、かご高さ位置情報のみでなく、天気や時間等の情報にも合致した風景映像を表示するようにしたものや、可変ズームレンズを有し、外部映像を撮像するカメラと、このカメラを搭載するとともに、撮像角度を可変にし、かつ建物外壁を垂直方向に移動する撮像装置台とを設け、かご高さ位置に対応した現在の建物外部の風景映像を表示し、また、乗客が風景映像の遠景、近景の切り替え、風景映像の方向を変えることを可能としたものが提案されている（例えば、特許文献１参照）。
【先行技術文献】
【特許文献】
【０００３】
【特許文献１】特開平７−８１８５８号公報（段落番号００１９〜００２５、図１、図５）
【発明の概要】
【発明が解決しようとする課題】
【０００４】
しかしながら、前述したものは、かご高さ位置情報とともに、天気や時間等の情報に合致させた記憶された風景映像を表示するもの、及びかご高さ位置に対応した現在の建物外部の風景映像を表示するものであるが、高層ビルやタワー内に設置された非展望エレベーターを利用する観光客や来客などは、昼間の晴天時には現在の風景映像を楽しみたい一方、夜間、及び荒天時には現在の風景映像よりも昼間の晴天時の眺望を楽しみたいものと推測され、このような乗客の要望に対応することについて考慮されていなかった。
【０００５】
本発明は、前述した従来技術における実状からなされたもので、その目的は、建物外部の風景映像を乗客の要望に合わせて表示することのできるエレベーターの風景映像表示装置を提供することにある。
【課題を解決するための手段】
【０００６】
前記目的を達成するために、本発明の請求項１に係る発明は、カメラと、このカメラが搭載され、乗かごと同期し建物外壁に沿って昇降可能な昇降手段と、前記乗かご内に設けられ、かご高さ位置に対応させ撮像した映像情報を表示可能な表示手段とを備えたエレベーターの風景映像表示装置において、あらかじめ昼間の晴天時に、前記カメラにより撮像した映像情報を記憶部に記憶するとともに、制御手段は、昼間の晴天時には、前記カメラによりかご高さ位置に対応して撮像した現在の映像情報を前記表示手段により表示するとともに、夜間、及び荒天時には、かご高さ位置に対応した前記記憶部の映像情報を前記表示手段に表示することを特徴としている。
【０００７】
このように構成した本発明の請求項１に係る発明では、昼間の晴天時には、カメラによりかご高さ位置に対応して撮像した現在の映像情報を表示手段により表示する。一方、夜間、及び荒天時には、あらかじめ昼間の晴天時に撮像され記憶部に記憶させた映像情報を、かご高さ位置に対応させつつ表示手段に表示する。これによって、建物外部の風景映像を乗客の要望に合わせて表示することができる。
【０００８】
また、本発明の請求項２に係る発明は、前記制御手段は、現在日時情報、当日の日の出予報時刻、及び日の入り予報時刻に基づき昼夜判断を行うとともに、前記カメラの映像情報に含まれる輝度情報、及び所定機関の報ずる天気情報の少なくとも１つに基づき天候判断を行うことを特徴としている。
【０００９】
このように構成した本発明の請求項２に係る発明では、制御手段は、現在日時情報、当日の日の出予報時刻、及び日の入り予報時刻に基づき昼夜判断を行うとともに、カメラの映像情報に含まれる輝度情報、及び所定機関の報ずる天気情報の少なくとも１つに基づき天候判断を行うことで、適切なタイミングで表示手段の表示を切替えることができる。
【００１０】
さらに、本発明の請求項３に係る発明は、前記乗かご内の異なる向きの複数の側壁にそれぞれ前記表示手段を設置し、それぞれの前記表示手段は、当該表示手段の設置方向に対応させ前記カメラにより撮像された映像情報を表示することを特徴としている。
【００１１】
このように構成した本発明の請求項３に係る発明では、乗かご内の異なる向きの複数の側壁にそれぞれ表示手段を設置し、それぞれの前記表示手段は、当該表示手段の設置方向に対応させカメラにより撮像された映像情報を表示することで、乗客はより一層、建物外部の風景映像を楽しむことができる。
【００１２】
さらにまた、本発明の請求項４に係る発明は、一方の側に設置された表示手段に、あらかじめ午後に撮像した同一側の映像情報を表示するとともに、他方の側に設置された他の表示手段に、あらかじめ午前に撮像した同一側の映像情報を表示することを特徴としている。
【００１３】
このように構成した本発明の請求項４に係る発明では、一方の側の風景を午後、他方の側の風景を午前に撮像することで、水平方向に広範囲にわたって実際の風景よりも影が少なく鮮明な映像情報を得ることができる。
【発明の効果】
【００１４】
本発明によれば、昼間の晴天時には、カメラによりかご高さ位置に対応して撮像した現在の風景映像、一方、夜間、及び荒天時には、あらかじめ昼間の晴天時に撮像された風景映像を表示することで、一般的な乗客の要望に応じた表示を実現することができる。特に、１度だけ展望台に来訪する観光客や建物への来客などに、夜間、及び荒天時であっても、晴天時の風景がどのようなものかを知っていただくことができ、サービス性の向上を図ることができる。また、集客効果が上がることから、本発明を適用したエレベーターを設置した高層ビルやタワーの所有者、及び入居する観光業者の要望にも応えるものとなる。
【図面の簡単な説明】
【００１５】
【図１】本発明に係るエレベーターの風景映像表示装置の第１の実施例を示すブロック図である。
【図２】第１の実施例における乗かご内部を示す斜視図である。
【図３】第１の実施例における建屋の概略構成図である。
【図４】第１の実施例における風景映像表示装置の処理手順を示す概略フローチャートである。
【発明を実施するための形態】
【００１６】
以下、本発明に係るエレベーターの風景映像表示装置の実施例を図に基づき説明する。
【００１７】
第１の実施例のエレベーターの風景映像表示装置は、図２に示すように、乗かご１内に、かご扉２の面に隣接し、例えば、概略方位が東西２方向となるように対向して位置する側壁面３ａ、３ｂに、それぞれ表示手段４ａ、４ｂを備えている。なお、第１の実施例では、例えば、表示手段４ａが東側、表示手段４ｂが西側にそれぞれ設置されている。
【００１８】
また、カメラと、このカメラが搭載され、乗かごと同期し建物外壁に沿って昇降可能な昇降手段とからなる撮像機構が備えられている。即ち、図３に示すように、エレベーター１００の設置された建物の角部外壁５に沿って上下方向に延設される円筒状の１本のチューブ６と、このチューブ６の内部に取付けられる一対のレール７ａ、７ｂと、レール７ａ、７ｂにより案内されて昇降するとともに、光軸８を実質的に水平にして互いにほぼ反対に向けた２台のカメラ９ａ、９ｂと、チューブ６の最上部に置かれた撮像用巻上機１０と、撮像用巻上機１０により駆動されるとともに、一端がカメラに接続されたロープ１１とを備えている。なお、チューブ６、レール７ａ、７ｂ、撮像用巻上機１０、及びロープ１１により昇降手段が成っている。また、前述したカメラは、無線カメラが望ましい。さらに、カメラ９ａ、９ｂの昇降制御であるが、カメラ９ａ、９ｂの現在位置を乗かご１に追従させるよりもむしろ、速度・加速度を優先して追従させる。具体的には、制御手段１２から乗かご１の現在の位置、速度、及び加速度の指令値を、撮像用巻上機１０に同時に目標値として入力して、乗かご１の現在位置に対するカメラ９ａ、９ｂの現在位置の偏差に乗じるゲインを、速度、及び加速度に対する同様のゲインよりも低く設定する。
【００１９】
さらに、図１に示すように、カメラ９ａ、９ｂ、及び撮像用巻上機１０に接続されるとともに、昼夜判断部１２ａ、及び天候判断部１２ｂを有する制御手段１２と、この制御手段１２、及び表示手段４ａ、４ｂと接続されるとともに、カメラ９ａ、９ｂにより撮像した映像情報を高さ位置ごとに分類して記憶する記憶部１３ａを有する画像処理手段１３とを備えている。そして、あらかじめ昼間の晴天時に、カメラ９ａ、９ｂにより撮像した映像情報を記憶部１３ａに記憶するとともに、昼間の晴天時には、カメラ９ａ、９ｂによりかご高さ位置に対応して撮像した現在の映像情報を表示手段４ａ、４ｂにより表示するとともに、夜間、及び荒天時には、かご高さ位置に対応した記憶部１３ａの映像情報を表示手段４ａ、４ｂに表示するようになっている。
【００２０】
前述の昼夜判断部１２ａは、天文学的な昼夜の定義をそのまま適用するとともに、例えば、現在日時情報と、当該ビル所在地での当日の日の出予報時刻と、当日の日の入り予報時刻とのデータとを用いて昼夜判断を行なうものである。即ち、現在日時情報が、当該ビル所在地での当日の日の出予報時刻と当日の日の入り予報時刻との間の時刻である場合に昼と判断し、それ以外の場合に夜と判断する。なお、日本国内の各地点の日の出日の入り予報時刻は、海上保安庁海洋情報部がそのウェブサイト上に発表している。年月を指定して緯度・経度、又は主要都市名によって場所を指定すると、月間の毎日の予報時刻が得られる。同一地点における同じ月日の日の出没時刻は毎年ほぼ同じであるから、ある年の月日と日の出没時刻との簡略な対照表を記憶しておき毎年使っても、誤差を数分以内に抑えて昼夜判断に利用することも可能である。
【００２１】
前述の天候判断部１２ｂは、続くいずれかの処理により現在の天候を判断するものである。即ち、カメラ９の出力映像の平均輝度値を計測可能として、平均輝度値があらかじめ設定した閾値より大の場合には天候が晴天であると判断し、そうでない場合には天候が荒天であると判断する。また、所定機関、例えば、気象庁、又は気象サービス会社が電子データによって報ずる当該ビル所在地付近の現在の天気実績情報が晴天の場合には、天候が晴天であると判断し、それ以外の予報の場合には天候が荒天であると判断する。さらに、気象庁、又は気象サービス会社が電子データによって報ずる当該ビル所在地付近の最も近い未来の天気予報情報が晴天の場合には、天候が晴天であると判断し、それ以外の予報の場合には天候が荒天であると判断する。
【００２２】
第１の実施例にあっては、あらかじめ昼の晴天時にカメラ９ａ、９ｂを昇降させて、カメラ９ａにより東側の風景を撮像するとともに、カメラ９ｂにより西側の風景を撮像し、これらの映像情報を画像処理手段１３の記憶部１３ａに記憶する。なお、カメラ９ａ、９ｂによる撮像の時間帯であるが、カメラ９ａは午後を撮像の時間帯とし、東側の風景を撮像する。一方、カメラ９ｂは午前を撮像の時間帯とし、西側の風景を撮像する。
【００２３】
そして、図４に示すように、エレベーター１００が稼働すると、制御手段１２の昼夜判断部１２ａは、手順Ｓ１として前述した情報に基づき昼夜の判断を行なう。このとき現在が昼であることが判断されると、天候判断部１２ｂは手順Ｓ２として前述した情報に基づき現在の天候を判断する。このとき現在が晴天であることが判断されると、制御手段１２は、手順Ｓ３として撮像用巻上機１０に昇降指令を出力し、カメラ９ａ、９ｂを乗かご１と同期して昇降させるとともに、カメラ９ａにより撮像した現在の東側の映像情報を表示手段４ａに表示し、かつ、カメラ９ｂにより撮像した現在の西側の映像情報を表示手段４ｂに表示する。
【００２４】
また、前述した手順Ｓ１で昼夜判断部１２ａにより現在が夜であることが判断された場合、及び前述した手順Ｓ２で天候判断部１２ｂにより現在が荒天であることが判断された場合、制御手段１２は手順Ｓ４として画像処理手段１３を介し、記憶部１３ａに記憶した東側の映像情報を表示手段４ａに表示するとともに、記憶部１３ａに記憶した西側の映像情報を表示手段４ｂに表示する。さらに、エレベーター１００が稼動を停止すると手順Ｓ５として表示手段４ａ、４ｂの表示を停止する。
【００２５】
第１の実施例によれば、昼間の晴天時には、カメラ９ａ、９ｂによりかご高さ位置に対応して撮像した現在の風景映像、一方、夜間、及び荒天時には、あらかじめ昼間の晴天時に撮像された風景映像を表示することで、一般的な乗客の要望に応じた表示を実現することができる。特に、１度だけ展望台に来訪する観光客や建物への来客などに、夜間、及び荒天時であっても、晴天時の風景がどのようなものかを知っていただくことができ、サービス性の向上を図ることができる。また、集客効果が上がることから、本発明を適用したエレベーターを設置した高層ビルやタワーの所有者、及び入居する観光業者の要望にも応えるものとなる。また、記憶部１３ａに記憶する映像情報として、カメラ９ａ、９ｂにより東側の風景を午後、西側の風景を午前に撮像することで、水平方向に広範囲にわたって実際の風景よりも影が少なく鮮明な映像情報を得ることができる。さらに、夜間、及び荒天時にあって、明るい昼間の風景映像を表示手段４ａ、４ｂに表示していることから、乗かご１が階床の途中で何らかの故障のために停止して乗客が閉じ込められた場合に、乗客の圧迫感や恐怖感を軽減できるという効果もある。
【００２６】
なお、本実施形態では建物の外壁５に沿って１本のチューブ６内にカメラ９ａ、９ｂを設置し、乗かご１内には２台の表示手段４ａ、４ｂを設置したが、本発明はこれに限らず、例えば、建物の両側の壁面に設けた２本のチューブ内にそれぞれ１台づつカメラを設置しても良い。このような構成を採れば、２台のカメラの視野をほぼ厳密に正反対に向けて撮影することが可能になる。或いは、より簡略化するため、１本のチューブ内に１台のカメラを設置するとともに、乗かご内に１つの表示手段を設置する構成としても良い。また、表示手段に東側、西側の映像を表示するようにしたが、乗かご１の据付条件により南側或いは北側の表示となる場合もある。
【符号の説明】
【００２７】
１  乗かご
２  かご扉
３ａ、３ｂ  側壁面
４ａ、４ｂ  表示手段
５  外壁
６  チューブ
７ａ、７ｂ  レール
８  光軸
９ａ、９ｂ  カメラ
１０  撮像用巻上機
１１  ロープ
１２  制御手段
１２ａ  昼夜判断部
１２ｂ  天候判断部
１３  画像処理手段
１３ａ  記憶部
１００  エレベーター
【図１】
2011006181.tif 000003
【図２】
2011006181.tif 000004
【図３】
2011006181.tif 000005
【図４】
2011006181.tif 000006